(57)【特許請求の範囲】
【請求項１】
女性の体のバスト又はヒップに装着し、当該女性の体のバスト又はヒップに対して補整機能を付与させる女性用衣料において、
前記女性用衣料の補整機能付与部を構成する衣料用パネルを、人体側に向けて凸形状となるように変形させた状態で装着し、当該衣料用パネルの着用時の復元力によって補整機能を発揮させるものであって、
前記女性用衣料の補整機能付与部を構成する衣料用パネルの表面側に、当該衣料用パネルと略相似形状であって且つその外形よりも小さい外形に形成されたストレッチ性素材からなる補整パネルを、当該補整パネルの外周縁を外側に伸張させた状態でパネルに縫い止め又は接着し、前記補整力付与部を構成する衣料用パネルを、補整パネルの収縮力によって人体側に向けて凸形状となるように変形させ、当該衣料用パネルの着用時の復元力によって補整機能を発揮させることを特徴とする女性用衣料。
【請求項２】
前記補整パネルは、伸縮性を有する縫糸によって縫着されていることを特徴とする請求項１に記載の女性用衣料。
【請求項３】
前記補整パネルは、少なくともその一部が衣料用パネルに対してクロスステッチによって縫着されていることを特徴とする請求項１又は２に記載の女性用衣料。
【請求項４】
前記女性用衣料は、ブラジャーであって、当該女性用衣料の補整機能付与部を構成する衣料用パネルが、左右のバストカップ部の体側部側に配設されるパネルであることを特徴とする請求項１乃至３のいずれかに記載の女性用衣料。
【請求項５】
前記女性用衣料は、ガードルであって、当該女性用衣料の補整機能付与部を構成する衣料用パネルが、当該ガードルの腹部又はヒップ部のいずれかに配設されるパネルであることを特徴とする請求項１乃至３のいずれかに記載の女性用衣料。
【発明の詳細な説明】
【技術分野】
【０００１】
この発明は、ブラジャーやガードル、ボディスーツ、レオタード、あるいは水着等の女性用衣料に関し、特にバストアップやヒップアップ等の補整機能を備えた女性用衣料に関するものである。
【背景技術】
【０００２】
【特許文献１】実用新案登録第３００４０２７号公報
【特許文献２】特許第２５７６９４９号公報
【０００３】
従来、この種のブラジャーやガードル等の女性用衣料においては、女性のバストやヒップなどを理想的な形に近づけて、女性の体のシルエットをより一層美しく見せるため、バストアップやヒップアップ効果、あるいはバストを中央に寄せる効果などの補整効果を高めるように構成されている。
【０００４】
そのため、上記ブラジャーなどの女性用衣料では、例えば、バストカップの形状を理想的な形とすることを目的として、左右のバストカップ部の下端縁に沿って、金属製や合成樹脂製のワイヤーなどを挿入するようになっている。
【０００５】
ところが、上記ブラジャーなどの女性用衣料において、左右のバストカップ部の下端縁に沿って、金属製や合成樹脂製のワイヤーなどを挿入すると、バストカップの形状を理想的な形に近づけることができるものの、当該ワイヤーが女性のバストを圧迫し、着用感を損ねるという問題点を有していた。
【０００６】
また、近年、女性が社会において活躍する機会が飛躍的に増えてきているとともに、女性の体形の変化等に伴って、ブラジャーなどの女性用衣料においては、着用感が益々需要性を占めてきており、着用感を良好であって、しかも、バストアップやヒップアップ効果、あるいはバストを中央に寄せる効果などの補整効果を高めたものが求められてきている。
【０００７】
かかる要求に応え得るブラジャー等の女性用衣料としては、例えば、実用新案登録第３００４０２７号公報や特許第２５７６９４９号公報等に開示されたものが既に提案されている。
【０００８】
上記実用新案登録第３００４０２７号公報に係るブラジャーは、ワイヤによる圧迫感を解消してフィット感を向上できると共に、バストアップ効果とサポート効果とを兼ね備えることができるブラジャーを提供するため、伸縮性を備えた布部材により作成される一対のカップ部と、ニップルを保護するように各カップ部の裏面に設けられるファイバーフィルと、各ストラップの前方端から各カップ部の外方および下方側部を通りカップ部間で相互に対向するように延びる非伸縮性の布部材により形成されたライナーとを有し、ライナーはファイバーフィルを介してカップ部に縫着されるように構成したものである。
【０００９】
また、上記特許第２５７６９４９号公報に係るバストアップブラジャーは、カップ部内面の下側から外側を一面的に覆うようにストレッチ体を斜めに掛け渡し、該ストレッチ体の内側寄りにカップ部下側から外側に向かいカップ部の膨らみに沿って弧を描くように掛け渡してなる細巾ストレッチ帯体を四点千鳥縫いで取り付けてなるように構成したものである。
【発明の開示】
【発明が解決しようとする課題】
【００１０】
しかしながら、上記従来技術の場合には、次のような問題点を有している。すなわち、上記実用新案登録第３００４０２７号公報に係るブラジャーの場合には、各ストラップの前方端から各カップ部の外方および下方側部を通りカップ部間で相互に対向するように延びる非伸縮性の布部材により形成されたライナーを有し、当該ライナーをファイバーフィルを介してカップ部に縫着するように構成したものであり、ストラップの前方端から延設されたライナーによってバストアップ効果が期待できるものの、カップ部に縫着されたライナーによってバストを持ち上げる作用しか得ることができず、左右のバストをアップしつつ中央部に寄せる効果などが得られず、不十分なものであるという問題点を有していた。
【００１１】
また、上記特許第２５７６９４９号公報に係るバストアップブラジャーの場合には、カップ部内面の下側から外側を一面的に覆うようにストレッチ体を斜めに掛け渡し、該ストレッチ体の内側寄りにカップ部下側から外側に向かいカップ部の膨らみに沿って弧を描くように掛け渡してなる細巾ストレッチ帯体を四点千鳥縫いで取り付けてなるように構成したものであるが、ストレッチ体と、当該ストレッチ体に四点千鳥縫いで取り付けられた細巾ストレッチ帯体との組み合わせによって、左右のバストの下側から外側をサポートする機能を期待することができるものの、左右のバストの外側を積極的に内側に向けて寄せる力を発生させるようには構成されていないため、左右のバストをアップしつつ中央部に寄せる効果が不十分であるという問題点を有していた。
【００１２】
そこで、この発明は、上記従来技術の問題点を解決するためになされたものであり、その目的とするところは、ワイヤーなどを使用することなく、バストアップやバストを内側に向けて寄せる力や、ヒップアップ力などを積極的に発生させ、着用感に優れ、しかも、女性のバストやヒップなどを理想的な形に近づける補整効果を発揮することが可能な女性用衣料を提供することにある。
【課題を解決するための手段】
【００１３】
すなわち、請求項１に記載された発明は、女性の体の膨出部等に装着し、当該女性の体の膨出部等に対して補整機能を付与させる女性用衣料において、
前記女性用衣料の補整機能付与部を構成する衣料用パネルを、人体側に向けて凸形状となるように変形させた状態で装着し、当該衣料用パネルの着用時の復元力によって補整機能を発揮させるものであって、
前記女性用衣料の補整機能付与部を構成する衣料用パネルの表面側に、当該衣料用パネルと略相似形状であって且つその外形よりも小さい外形に形成されたストレッチ性素材からなる補整パネルを、当該補整パネルの外周縁を外側に伸張させた状態でパネルに縫い止め又は接着し、前記補整力付与部を構成する衣料用パネルを、補整パネルの収縮力によって人体側に向けて凸形状となるように変形させ、当該衣料用パネルの着用時の復元力によって補整機能を発揮させることを特徴とする女性用衣料である。
【００１５】
さらに、請求項２に記載された発明は、前記補整パネルは、伸縮性を有する縫糸によって縫着されていることを特徴とする請求項１に記載の女性用衣料である。
【００１６】
又、請求項３に記載された発明は、前記補整パネルは、少なくともその一部が衣料用パネルに対してクロスステッチによって縫着されていることを特徴とする請求項１又は２に記載の女性用衣料である。
【００１７】
更に、請求項４に記載された発明は、前記女性用衣料は、ブラジャーであって、当該女性用衣料の補整機能付与部を構成する衣料用パネルが、左右のバストカップ部の体側部側に配設されるパネルであることを特徴とする請求項１乃至３のいずれかに記載の女性用衣料である。
【００１９】
さらに、請求項５に記載された発明は、前記女性用衣料は、ガードルであって、当該女性用衣料の補整機能付与部を構成する衣料用パネルが、当該ガードルの腹部又はヒップ部のいずれかに配設されるパネルであることを特徴とする請求項１乃至３のいずれかに記載の女性用衣料である。
【発明の効果】
【００２０】
この発明によれば、ワイヤーなどを使用することなく、バストアップやバストを内側に向けて寄せる力や、ヒップアップ力などを積極的に発生させ、着用感に優れ、しかも、女性のバストやヒップなどを理想的な形に近づける補整効果を発揮することが可能な女性用衣料を提供することができる。
【発明を実施するための最良の形態】
【００２１】
以下に、この発明の実施の形態について図面を参照して説明する。
【００２２】
実施の形態１
図２及び図３はこの発明の実施の形態１に係る女性用衣料としてのブラジャーを示す表面側及び裏面側の構成図である。
【００２３】
図２及び図３において、１は女性用衣料としてのブラジャーを示すものであり、このブラジャー１は、女性の体の膨出部としての左右のバストをそれぞれ覆う左右のバストカップ部２、３を備えている。これら左右のバストカップ部２、３は、上カップ布４と下カップ布５の対向片を互いに縫着することによって、女性のバストを覆う３／４カップのカップ形状にそれぞれ形成されている。なお、上記バストカップ部２、３は、３／４カップに限らず、１／２カップなどの他のカップ形状であっても良いことは勿論である。また、これら左右のバストカップ部２、３は、当該左右のバストカップ部２、３の中央部側から下端部に掛けて縫着されたセンターパネル６によって、一体的に連結されている。ただし、これら左右のバストカップ部２、３は、当該左右のバストカップ部２、３の中央部側にのみ配設されたセンターパネルによって、互いに一体的に連結されるように構成しても良い。
【００２４】
更に説明すると、上記左右のバストカップ部２、３は、図４に示すように、上カップ布４と下カップ布５とから構成されており、当該上カップ布４の体側寄りの上端部には、ストラップ９、１０を縫着するため、テープ状に突出するように形成されている。また、上記上カップ布４と下カップ布５の中央部側には、センターパネル６が縫着されているとともに、体側部側には、サイドパネル１１と、バックパネル１３が縫着されている。
【００２５】
上記左右のバストカップ部２、３は、当該バストカップ部２、３を構成する上カップ布４及び下カップ布５や、図示しない不織布からなる芯体等によって、その形状が理想とする製品のカップ形状に形成されていることを基本とする。
【００２６】
ただし、上記左右のバストカップ部２、３は、その形状を理想とする製品のカップ形状に形成しても、製品としてのブラジャ−１を着用者が実際に着用した際に、当該着用者のバスト形状等によって、理想とするカップ形状と異なる形状に変形してしまうことになる。
【００２７】
そこで、この発明の実施の形態では、製品としてのブラジャ−１を着用者が実際に着用した際に、理想とするカップ形状を実現するべく、押える、支える等の作用を左右のバストカップ部２、３に付加（内臓）させる部位である補整機能付与部Ａが設定されており、当該補整機能付与部Ａを構成する衣料用パネルを、人体側に向けて凸形状となるように変形させた状態で縫着し、当該衣料用パネルの着用時の復元力によって補整機能を発揮させるように構成したものである。なお、ここで、人体側に向けて凸形状とは、図５に示すように、文字通り、人体側に向けて凸形状に突出する形状に形成されていることを意味し、人体側から見た場合には、同図に示すように、人体（バストの体側寄りの側面）が凹形状に変形した状態を意味する。
【００２８】
つまり、この発明の実施の形態では、補整機能付与部Ａを構成する衣料用パネルを、当該衣料用パネル自体と、その衣料用パネルの裏面側に、当該衣料用パネルの外形よりも小さい外形に形成されたストレッチ性素材からなる補整パネルを、当該補整パネルの外周縁を外側に伸張させた状態でパネルに縫い止め又は接着し、前記補整力付与部を構成する衣料用パネルを、補整パネルの収縮力によって人体側に向けて凸形状となるように変形させ、当該衣料用パネルの着用時の復元力によって補整機能を発揮させるように構成したものである。
【００２９】
更に、必要に応じて、上記補整機能付与部Ａを構成する衣料用パネルには、コントロールの目的に沿った力線を発生させるようにステッチ止めを施したものである。このステッチ止めは、直線であっても曲線であっても良く、且つ格子状、菱形形状であっても良く、力線を放射状にデザインしても良い。更には、上記ステッチ止めは、ステッチの間隔を変化させて、細かい間隔の構成部から大きな間隔の構成部をグラデーションとし、力線が細かい間隔の構成部に向けて集中するような集中力を持たせるように構成しても良い。
【００３０】
また、上記ブラジャー１は、図２に示すように、左右のバストカップ部２、３の表面側であって、その体側部側に、コントロールパネル７、８がそれぞれ縫着されている。これら左右のコントロールパネル７、８は、バストカップ部２、３の下端部中央寄り７ａ、８ａから、バストカップ部２、３の体側部側の側面上部７ｂ、８ｂに掛けて、略三日月形状に形成されており、当該コントロールパネル７、８の上端部７ｃ、８ｃは、上カップ布４と同様に、細長いテープ状に形成されて、ストラップ９、１０と一体的に縫着されている。
【００３１】
さらに、上記ブラジャー１は、左右のバストカップ部２、３の体側部側に、サイドパネル１１、１２が縫着されているとともに、当該サイドパネル１１、１２の背面側には、左右のバックパネル１３、１４が縫着されており、当該左右のバックパネル１３、１４の先端には、図３に示すように、フックやアイ等からなる連結具１５がそれぞれ取付けられている。
【００３２】
ところで、この実施の形態では、女性の体の膨出部等に装着し、当該女性の体の膨出部等に対して補整機能を付与させる女性用衣料において、前記女性用衣料の補整機能付与部を構成する衣料用パネルを、人体側に向けて凸形状となるように変形させた状態で縫着し、当該衣料用パネルの着用時の復元力によって補整機能を発揮させるように構成されている。
【００３３】
また、この実施の形態では、女性の体の膨出部等に装着し、当該女性の体の膨出部等に対して補整機能を付与させる女性用衣料において、前記女性用衣料の補整機能付与部を構成する衣料用パネルの裏面側に、当該衣料用パネルの外形よりも小さい外形に形成されたストレッチ性素材からなる補整パネルを、当該補整パネルの外周縁を外側に伸張させた状態でパネルに縫着し、前記補整力付与部を構成する衣料用パネルを、補整パネルの収縮力によって人体側に向けて凸形状となるように変形させ、当該衣料用パネルの着用時の復元力によって補整機能を発揮させるように構成されている。
【００３４】
さらに、この実施の形態では、前記補整パネルは、伸縮性を有する縫糸によって縫着されているものである。
【００３５】
又、この実施の形態では、前記補整パネルは、少なくともその一部が衣料用パネルに対してクロスステッチによって縫着されているものである。
【００３６】
更に、この実施の形態では、前記女性用衣料は、ブラジャーであって、当該女性用衣料の補整機能付与部を構成する衣料用パネルが、左右のバストカップ部の体側部側に配設されるコントロールパネルであるように構成されている。
【００３７】
すなわち、この実施の形態では、図２及び図３に示すように、左右のバストカップ部２、３の表面側であって、その体側部側に、補整パネルとしてのコントロールパネル７、８がそれぞれ縫着されている。これらのコントロールパネル７、８は、上述したように、バストカップ部２、３の下端部中央寄り７ａ、８ａから、バストカップ部の体側部側の側面上部７ｂ、８ｂに掛けて、略三日月形状に形成されている。また、上記コントロールパネル７、８の上端部７ｃ、８ｃは、細長いテープ状に形成されて、ストラップ９、１０と一体的に縫着されている。
【００３８】
また、上記コントロールパネル７、８は、図１、図６及び図７に示すように、ストレッチ性を有する素材から構成され、当該コントロールパネル７、８が左右のバストカップ部２、３に縫着された後の形状と略相似形状であって、当該縫着後の形状よりも幾分小さい形状に形成されている。そして、上記コントロールパネル７、８は、そのままの状態で左右のバストカップ部２、３の表面に縫着されるのではなく、図６に実線で示し、図７では破線で示したように、当該コントロールパネル７、８を縫着後のコントロールパネル７、８の外周形状と略等しい形状まで外側に伸張させた状態で、左右のバストカップ部２、３の表面に縫着されている。その際、上記コントロールパネル７、８を左右のバストカップ部２、３に縫着する縫糸１８としては、伸縮性を有するものを用いるのが望ましい。
【００３９】
さらに、この実施の形態では、図１に示すように、サイドパネル１１、１２の表面側にも、上記第１のコントロールパネル７、８と同様に構成された第２のコントロールパネル１６、１７が伸張した状態で縫着されている。
【００４０】
その際、上記第１のコントロールパネル７、８及び第２のコントロールパネル１６、１７は、少なくともその外周縁７ａ等が、左右のバストカップ部２、３やサイドパネル１１、１２の表面に縫着されるが、図２及び図３に示すように、当該コントロールパネル７、８、１６、１７の全面を縦方向に沿った縫糸１８によるステッチ縫いによって左右のバストカップ部２、３やサイドパネル１１、１２に縫着するように構成するのが望ましい。上記縫糸１８によるステッチ縫いは、例えば、一定の間隔で直線状又は曲線状に施される。また、このステッチ縫いは、上述したように、格子状、菱形形状であっても良く、力線を放射状にデザインしても良い。更には、上記ステッチ止めは、ステッチの間隔を変化させて、細かい間隔の構成部から大きな間隔の構成部をグラデーションとし、力線が細かい間隔の構成部に向けて集中するような集中力を持たせるように構成しても良い。さらに、上記ステッチ縫いは、放射的力線をデザインしたり、波状的力線をデザインするものであっても良い。
【００４１】
また、上記縫糸１８によるステッチ縫いは、表側の方が裏側よりも常に張力が高くなるように、表側の縫糸１８の伸張力を裏側の縫糸１８よりも高く設定するような糸使いとすることが望ましく、こうすることによって、コントロールパネル７、８の凸状化力を一層高めることができる。
【００４２】
また、上記第１のコントロールパネル７、８及び第２のコントロールパネル１６、１７は、その外周縁７ａ等がコントロールパネル７、８に縫着されるが、その際、当該補整パネル１６、１７の全面を接着剤によって左右のバストカップ部２、３等の表面に伸張した状態で接着するように構成しても良い。また、強度的に十分であれば、コントロールパネル７、８の外周を縫着せずに、接着のみによって装着するように構成しても良い。
【００４３】
こうすることによって、上記コントロールパネル７、８は、図５に示すように、その中央部７ｄ、８ｄが、当該コントロールパネル７、８の収縮力によって、人体側に向けて凸形状となるように変形され、女性のバストの体側部側の面を下方及び側面から中央部に向けて押圧することで、当該コントロールパネル７、８の復元力によって補整機能を発揮させるように構成されている。
【００４４】
上記女性用衣料の補整機能付与部を構成する衣料用パネルは、当該女性用衣料を構成するあらゆるパネル体を含むが、当該衣料用パネルに補整機能を付与させる補整パネルは、原則として、ストレッチ性を有し、この補整パネルのコントロール量又はコントロール力によって、より伸張力のあるものや、より伸張率の高いものを採用し、組成、編織組織、繊維のデニール等は、製品付加価値を前提とし、限定されるものではない。
【００４５】
また、パネル構成の補整パネル素材に熱収縮性のある素材を複合させ、必要な範囲を熱収縮させて、必要に応じてステッチ加工を施しても良い。但し、当該補整パネルは、少なくともコントロール領域の完成まで伸張する能力を維持するものでなければならない。
【００４６】
さらに、上記ステッチ糸は、通常使用される合成繊維糸の伸張レベルからゴム糸までを含むものである。
【００４７】
以上の構成において、この実施の形態に係る女性用衣料としてのブラジャーでは、次のようにして、ワイヤーなどを使用することなく、バストアップやバストを内側に向けて寄せる力や、ヒップアップ力などを積極的に発生させ、着用感に優れ、しかも、女性のバストやヒップなどを理想的な形に近づける補整効果を発揮することが可能となっている。
【００４８】
すなわち、この実施の形態に係るブラジャー１は、図２及び図３に示すように、女性の体の膨出部である左右のバスト（図示せず）を、左右のバストカップ部２、３で覆った状態で、ストラップ９、１０を肩に掛けるとともに、左右のバックパネル１３、１４の先端部に取付けられた連結具１５によって、左右のバックパネル１３、１４を互いに連結することによって着用される。
【００４９】
その際、上記ブラジャー１は、図２及び図３に示すように、左右のバストカップ部２、３が、当該左右のバストカップ部２、３表面の下端部の中央寄りから体側部側の上部に掛けて配設されたコントロールパネル７、８によって、ストラップ９、１０を介して上方に引き上げられるため、左右のバストカップ部２、３を介してバストアップ効果を発揮することができる。
【００５０】
さらに、上記ブラジャー１は、図１乃至図３に示すように、左右のバストカップ部２、３が、その表面に縫着されたコントロールパネル７、８によって、人体側に凸形状となるように形成されている。そのため、上記左右のバストカップ部２、３は、図５に示すように、女性が着用することで、コントロールパネル７、８の中央部７ｄ、８ｄによって、左右のバストを体側部側から中央部に寄せる力Ｆを発揮させるようになっている。なお、上記コントロールパネル７、８は、左右のバストを体側部側から中央部に寄せる力を作用させつつ、左右のバストから受ける力によって、ある程度体側部寄りに膨出して、左右のバストカップ部２、３は、本来の理想的な形状となる。
【００５１】
このように、上記実施の形態に係るブラジャー１によれば、ワイヤーなどを使用することなく、補整機能付与部Ａを設けることによって、バストアップやバストを内側に向けて寄せる力や、ヒップアップ力などを積極的に発生させ、着用感に優れ、しかも、女性のバストやヒップなどを理想的な形に近づける補整効果を発揮することが可能となっている。
【００５２】
なお、上記実施の形態では、補整機能付与部Ａを構成する衣料用パネルが、左右のバストカップ部２、３を形成する上カップ布４及び下カップ布５の一部によって形成した場合について説明したが、この補整機能付与部Ａを構成する衣料用パネルは、図８に示すように、左右のバストカップ部２、３を形成する上カップ布４及び下カップ布５とは独立したカップサイドパネル７０として形成しても良い。このカップサイドパネル７０は、通常の左右のバストカップ部２、３を構成する素材で形成され、当該カップサイドパネル７０の表面には、前記実施の形態と同様に、コントロールパネル７、８が縫着される。
また、上記補整機能付与部Ａを構成する衣料用パネルは、図９に示すように、左右のバストカップ部２、３の一部を構成するカップサイドパネルと、サイドパネル１１、１２を一体的に形成したパネル７１であっても良い。
【００５３】
実施の形態２
図１０はこの発明の実施の形態２を示すものであり、前記実施の形態と同一の部分には同一の符号を付して説明すると、この実施の形態２では、コントロールパネルがサイドパネルと一体的に形成されるように構成されている。
【００５４】
すなわち、この実施の形態２では、図１０に示すように、第１のコントロールパネル７、８をサイドパネル１１、１２側の第２のコントロールパネル１６、１７と一体的に形成するように構成されている。これらのコントロールパネルが一体的に形成されたコントロールパネル７、８は、ストレッチ性素材によって形成されており、当該コントロールパネル７、８は、その外周形状が裏面側に位置するパネル４、５、１１、１２よりも小さい相似形状に形成されている。そして、上記補整パネル１６、１７は、その外周縁が外側に向けて伸張した状態で、左右のバストカップ部２、３及びサイドパネル１１、１２に一体的に縫着されている。その際、上記コントロールパネル７、８は、少なくとも、その外周縁が左右のバストカップ部２、３及びサイドパネル１１、１２に対して縫着されるが、図１１に示すように、当該コントロールパネル７、８の全面をクロスステッチによって縫着するか、又は、図１２に示すように、コントロールパネル７、８をバストカップ部２、３の下端縁に沿って中央部７ｅ、８ｅまでを覆おう半独立体として構成し、当該コントロールパネル７、８の一部（図１に示す補整機能付与部Ａに相当する部分、及びこれに隣接するサイドパネル１１、１２の部分）を縫着するように構成しても良い。
【００５５】
その他の構成及び作用は、前記実施の形態と同様であるので、その説明を省略する。
【００５６】
実施の形態３
図１３はこの発明の実施の形態３を示すものであり、前記実施の形態と同一の部分には同一の符号を付して説明すると、この実施の形態２では、女性用衣料は、ガードルであって、当該女性用衣料の補整機能付与部を構成する衣料用パネルが、当該ガードルの腹部又はヒップ部のいずれかに配設されるパネルであるように構成されている。
【００５７】
すなわち、この実施の形態３では、図１３に示すように、女性用衣料としてガードル２０に適用したものであり、当該ガードル２０の膨出部としての腹部を構成するフロントパネル２１には、その表面側に、図１４に示すように、略菱形形状のストレッチ性素材からなる補整パネル２２が縫着されている。この補整パネル２２は、その外周縁が外側に伸張した状態で、フロントパネル２１にクロスステッチによって縫着されており、当該フロントパネル２１を人体側に向けて凸形状に変形させるように構成されている。
【００５８】
なお、上記補整パネル２２は、図１５に示すように、クロスステッチに限らず、クロスステッチをガードル２０の腰部まで延長させたステッチによって縫着し、当該縫糸２３として伸縮性を有する太めの糸を使用することによって、補整パネル２２をガードル２０の腰部方向へ引き上げる効果を併せて作用させるように構成しても良い。
【００５９】
また、上記ガードル２０に設けられる補整パネル２２としては、腹部に限らず、図１６に示すように、胴部の周囲２４やヒップ部から太腿部までの部分２５を押圧するように構成しても良い。
【００６０】
さらに、上記ガードル２０としては、ステッチの方向として、図１７に示すように、ヒップ部２６を中心にして、上方向のみの一方向ではなく、上方向と下方向の二方向あるいは、三方向に向けて縫着するように構成してもよい。
【００６１】
この図１７に示す実施の形態の場合にも、前述したように、ステッチの縫い糸として、表側の方が裏側よりも常に張力が高くなるように、表側の縫糸１８の伸張力を裏側の縫糸１８よりも高く設定するような糸使いとすることが望ましい。その際、製品本体を構成する身頃体より図示しない補整パネルの方が、張力並びに肉厚等が高くて厚い場合、又はまったく逆に、製品本体を構成する身頃体より図示しない補整パネルの方が、張力並びに肉厚等が弱くて薄い場合は、製品本体の裏面側に、補整パネルを配置しても、本発明が目的とする補整機能を発揮させることができる。
【００６２】
つまり、このように、製品本体の裏面側に補整パネルを配置した場合であっても、製品本体に対する身頃体の張力や厚さ等に応じて、ステッチの縫い糸として、裏面の方が表面よりも常に張力が高くなるように設定するなどして、人体側に凸形状となるように変形させることが可能となる。この場合、実質的な補整パネルの内面形状は、製品寸法よりも少なくとも短く仕上がることもある。
【００６３】
また、上記ガードル２０としては、図１８又は図１９に示すように、特に、裏地をデザインせずに、ストレッチ糸を使用して伸縮性量を大きくデザインし、屈曲時の対応を容易とするように構成しても良い。
【００６４】
上記ガードル２０は、例えば、裾部３０や腰部３１の屈折を支えたり、屈折時の身頃３２のつれ又はダブリを無くすことを目的とするものであって、一般的には、この目的を達成するために、より伸張性を高めるために、フィッシュネット状の編組織のパネルを嵌め込むように構成している。しかし、この場合には、ガードル２０の着用時にフィッシュネット状の編組織のパネルが既に略伸びきった状態となって、本来の屈折運動時には、更なる伸張に対する余力を無くしているのが実態である。
【００６５】
そこで、この実施の形態では、本発明が必要とする補整機能付与部を伸張の最大値とし、反面最も最小値である補整パネルそのものを裾部３０や腰部３１を構成するパネル体とし、当該伸張量を備えることの弱さ（伸びる事イコール着用時に伸びきってしまうことの欠点）を、当該発明のステッチ（よりゴム糸のような均質な力で２００％以上の伸張を持つ糸による）を施した裾部３０や腰部３１によってカバーするように構成したものである。
【００６６】
これは、製品を形成する補整機能付与部（コントロール領域）としての裾部３０や腰部３１が、着座時の伸縮のほとんど無い状況から、起立時の伸張が最大値の状態に対応できる補整パネル体を、ステッチを施した裾部３０や腰部３１によって構成した実施の形態である。
【００６７】
ガードルにおいては、フロントパネル部は、直線の一方向のステッチ構成からクロス状とし、全体に拡張を抑えるパネル体とすることが好ましい。また、ヒップアップを目的とする部分は、パネル構成によって極度の伸張力差を身頃部との関係で生じることは好ましくないことから、総体的に伸縮性が必要となる。
【００６８】
さらには、ガードルにおいては、伸張を抑える部分と逆に抑えてはならない部分とが連続していることから、製品と一体化するデザインとし、一方向だけのステッチとクロスステッチ、更には、細かい間隔のステッチ部と大きい間隔のステッチ部とを組合わせることが最も好ましい。
【００６９】
さらに、ガードル等のように、着用時に１５０％以上の拡張が求められる全体がストレッチ性の素材からなる製品においては、当該ステッチは、ストレッチ性素材を使用することや、ジグザグ縫いとすることが好ましい。
【００７０】
その他の構成及び作用は、前記実施の形態と同様であるので、その説明を省略する。
【図面の簡単な説明】
【００７１】
【図１】図１はこの発明の実施の形態１に係る女性用衣料としてのブラジャーの要部を示す構成図である。
【図２】図２はこの発明の実施の形態１に係る女性用衣料としてのブラジャーを示す表面側の構成図である。
【図３】図３はこの発明の実施の形態１に係る女性用衣料としてのブラジャーを示す裏面側の一部構成図である。
【図４】図４はこの発明の実施の形態１に係る女性用衣料としてのブラジャーを構成するパネルを示す構成図である。
【図５】図５はこの発明の実施の形態１に係る女性用衣料としてのブラジャーの作用を示す説明図である。
【図６】図６はこの発明の実施の形態１に係る女性用衣料としてのブラジャーの要部を示す説明図である。
【図７】図７はこの発明の実施の形態１に係る女性用衣料としてのブラジャーの要部を示す構成図である。
【図８】図８はこの発明の実施の形態１に係る女性用衣料としてのブラジャーの変形例を示す構成図である。
【図９】図９はこの発明の実施の形態１に係る女性用衣料としてのブラジャーの他の変形例を示す構成図である。
【図１０】図１０はこの発明の実施の形態２に係る女性用衣料としてのブラジャーの要部を示す構成図である。
【図１１】図１１はこの発明の実施の形態２に係る女性用衣料としてのブラジャーの要部を示す構成図である。
【図１２】図１２はこの発明の実施の形態２に係る女性用衣料としてのブラジャーの要部を示す構成図である。
【図１３】図１３はこの発明の実施の形態３に係る女性用衣料としてのガードルを示す概略構成図である。
【図１４】図１４は補整パネルを示す構成図である。
【図１５】図１５はこの発明の実施の形態３に係る女性用衣料としてのガードルを示す概略構成図である。
【図１６】図１６はこの発明の実施の形態３に係る女性用衣料としてのガードルを示す概略構成図である。
【図１７】図１７はこの発明の実施の形態３に係る女性用衣料としてのガードルを示す概略構成図である。
【図１８】図１８はこの発明の実施の形態３に係る女性用衣料としてのガードルを示す概略構成図である。
【図１９】図１９はこの発明の実施の形態３に係る女性用衣料としてのガードルを示す概略構成図である。
【符号の説明】
【００７２】
１：ブラジャー（女性用衣料）、２、３：左右のバストカップ部、４：上カップ布、５：下カップ布、７、８：コントロールパネル（補整パネル）。
【図１】
0004673720.tif 000002
【図２】
0004673720.tif 000003
【図３】
0004673720.tif 000004
【図４】
0004673720.tif 000005
【図５】
0004673720.tif 000006
【図６】
0004673720.tif 000007
【図７】
0004673720.tif 000008
【図８】
0004673720.tif 000009
【図９】
0004673720.tif 000010
【図１０】
0004673720.tif 000011
【図１１】
0004673720.tif 000012
【図１２】
0004673720.tif 000013
【図１３】
0004673720.tif 000014
【図１４】
0004673720.tif 000015
【図１５】
0004673720.tif 000016
【図１６】
0004673720.tif 000017
【図１７】
0004673720.tif 000018
【図１８】
0004673720.tif 000019
【図１９】
0004673720.tif 000020